(57)【要約】【課題】いかなる路面状況や車両によっても確実に、ラックエンド時のヒッティングノイズを軽減することができる電動パワーステアリング装置の制御装置を提供する。【解決手段】操舵トルクと車速に基づいて、ステアリング機構に操舵補助力を付与するモータの電流指令値を演算し、フィードバック制御でモータを駆動制御するようになっている電動パワーステアリング装置の制御装置において、ラックエンド近傍時に、モータの出力を制限するか若しくは操舵トルクと逆に出力することを特徴とする。【選択図】図２
2008290525.tif 000002
【特許請求の範囲】
【請求項１】
操舵トルクと車速に基づいて、ステアリング機構に操舵補助力を付与するモータの電流指令値を演算し、フィードバック制御で前記モータを駆動制御するようになっている電動パワーステアリング装置の制御装置において、ラックエンド近傍時に、前記モータの出力を制限するか若しくは前記操舵トルクと逆に出力することを特徴とする電動パワーステアリング装置の制御装置。
【請求項２】
前記モータの出力制限若しくは逆出力を操舵角により行う請求項１に記載の電動パワーステアリング装置の制御装置。
【請求項３】
前記モータの出力制限若しくは逆出力を操舵速度により行う請求項１に記載の電動パワーステアリング装置の制御装置。
【請求項４】
前記モータの出力制限若しくは逆出力を更に前記車速により行う請求項２又は３に記載の電動パワーステアリング装置の制御装置。
【請求項５】
前記モータの出力制限若しくは逆出力を更にＳＡＴ推定値により行う請求項２又は３に記載の電動パワーステアリング装置の制御装置。
【請求項６】
前記モータの出力制限若しくは逆出力を操舵角、操舵速度、前記車速及びＳＡＴ推定値により行う請求項１に記載の電動パワーステアリング装置の制御装置。
【発明の詳細な説明】
【技術分野】
【０００１】
本発明は、車両の操舵にモータによる操舵補助力を付与するようにした電動パワーステアリング装置の制御装置に関し、特にラックエンド時のヒッティングノイズの低減を図った高性能な電動パワーステアリング装置の制御装置に関する。
【背景技術】
【０００２】
車両のステアリング装置をモータの回転力で補助負荷付勢（アシスト）する電動パワーステアリング装置は、モータの駆動力を減速機を介してギア又はベルト等の伝達機構により、ステアリングシャフト或いはラック軸に補助負荷付勢するようになっている。かかる従来の電動パワーステアリング装置は、アシストトルク（操舵補助力）を正確に発生させるため、モータ電流のフィードバック制御を行っている。フィードバック制御は、電流指令値とモータ電流検出値との差が小さくなるようにモータ印加電圧を調整するものであり、モータ印加電圧の調整は、一般的にＰＷＭ（パルス幅変調）制御のデュ−ティ比の調整で行っている。
【０００３】
ここで、電動パワーステアリング装置の一般的な構成を図５に示して説明すると、ハンドル１のコラム軸２は減速ギア３、ユニバーサルジョイント４ａ及び４ｂ、ピニオンラック機構５を経て操向車輪のタイロッド６に連結されている。コラム軸２には、ハンドル１の操舵トルクを検出するトルクセンサ１０が設けられており、ハンドル１の操舵力を補助するモータ２０が、減速ギア３を介してコラム軸２に連結されている。電動パワーステアリング装置を制御するコントロールユニット３０には、バッテリ１４から電力が供給されると共に、イグニッションキー１１を経てイグニッション信号が入力され、コントロールユニット３０は、トルクセンサ１０で検出された操舵トルクＴ及び車速センサ１２で検出された車速Ｖに基づいてアシスト指令の操舵補助指令値Ｉの演算を行い、演算された操舵補助指令値Ｉに基づいてモータ２０に供給する電流を制御する。
【０００４】
コントロールユニット３０は主としてＣＰＵ（ＭＰＵやＭＣＵを含む）で構成されるが、そのＣＰＵ内部においてプログラムで実行される一般的な機能を示すと、図６のようになる。
【０００５】
図６を参照してコントロールユニット３０の機能及び動作を説明すると、トルクセンサ１０で検出されて入力される操舵トルクＴ及び車速センサ１２から車速Ｖは、操舵補助指令値演算部３１に入力されて基本操舵補助指令値Ｉｒｅｆａが演算される。車速Ｖは、更に収れん性制御部３４及び慣性補償部３５に入力される、操舵補助指令値演算部３１で演算された基本操舵補助指令値Ｉｒｅｆａは操舵系の安定性を高めるための位相補償部３２で位相補償され、位相補償された操舵補助指令値Ｉｒｅｆｂが加算部３９Ａに入力される。また、操舵トルクＴは応答速度を高めるためのフィードフォワード系の微分補償部３３に入力され、微分補償された操舵トルクＴｄは加算部３９Ａに入力され、収れん性制御部３４及び慣性補償部３５で演算された補償信号ＣＭも加算部３９Ａに入力される。加算部３９Ａは操舵補助指令値Ｉｒｅｆｂ、微分補償された操舵トルクＴｄ及び補償信号ＣＭを加算し、その加算結果である操舵補助指令値Ｉｒｅｆｃ（＝Ｉｒｅｆｂ＋Ｔｄ＋ＣＭ）を減算部３９Ｂに入力する。
【０００６】
減算部３９Ｂでは、操舵補助指令値Ｉｒｅｆｃとフィードバックされているモータ電流Ｉｍとの偏差（Ｉｒｅｆｃ−Ｉｍ）を求める。偏差（Ｉｒｅｆｃ−Ｉｍ）はＰＩ制御部３６でＰＩ制御され、更にＰＷＭ制御部３７に入力されてデューティを演算され、インバータ３８を介してモータ２０をＰＷＭ駆動する。モータ２０のモータ電流Ｉｍはモータ電流検出部２１で検出され、減算部３９Ｂに入力されてフィードバックされる。また、モータ２０には回転角検出部２２が設けられており、回転角検出部２２の出力θが角速度演算部２３に入力され、演算された角速度（操舵速度）ωは収れん性制御部３４に入力されると共に、角加速度演算部２４に入力されて角加速度＊ωが演算される。角加速度＊ωは慣性補償部３５に入力される。
【０００７】
なお、操舵補助指令値演算部３１は図７に示すように、車速Ｖをパラメータとして、操舵トルクＴに応じた操舵補助指令値Ｉｒｅｆａを演算して出力する。また、収れん性制御部３４は車速Ｖとモータ角速度ωによって制御され、慣性補償部３５は車速Ｖとモータ角加速度＊ωによって慣性補償信号を演算している。
【０００８】
このような電動パワーステアリング装置において、ラックエンド突き当て時においてはヒッティングノイズが発生し、騒音が運転者に不快感を与えるために、その低減化が問題となっている。即ち、ステアリング機構は、舵取り用車輪が予め定めた最大転舵角に達すると、それ以上に舵取り用車輪を転舵できない構成になっている。それにも拘わらず、従来のパワーステアリング装置では、舵取り用車輪が最大転舵角付近まで転舵されていても、ハンドルに加えられる操舵トルクが大きければ大きな操舵補助力がステアリング機構に付与されるため、舵取り用車輪の転舵が規制される時の衝撃が大きく、運転者に不快感を与える問題があった。また、舵取り用車輪の転舵が規制される時の衝撃が大きいと、ステアリング機構を構成している部品の破損等を生じる恐れもあった。
【０００９】
かかる問題を解決する装置として、例えば特開２００２−１９３１２０号公報（特許文献１）に示される電動パワーステアリング装置の制御装置がある。この特許文献１の装置では、舵取り用車輪の操舵が最大操舵角で規制される時に生じる衝撃を小さくするようにしている。即ち、電動モータが発生する駆動力をステアリング機構に与えて操舵補助を行う電動パワーステアリング装置であって、ステアリング機構に入力された操舵トルクを検出する操舵トルク検出手段と、ステアリング機構が車両直進時の状態である中立状態になったことを検出する中立状態検出手段と、この中立状態検出手段によってステアリング機構の中立状態が検出されてから操舵トルク検出手段によって検出される操舵トルクの積算値を求めるトルク積算手段と、操舵トルク検出手段によって検出された操舵トルク及びトルク積算手段によって求められた操舵トルクの積算値に基づいて、電動モータに供給すべきモータ指示電流を設定するモータ指示電流設定手段とを具備している。
【特許文献１】特開２００２−１９３１２０号公報
【発明の開示】
【発明が解決しようとする課題】
【００１０】
しかしながら、特許文献１の制御装置では、路面摩擦や車両の重量を考慮していないことから、路面や車両によって確実にラックエンド突き当てによるヒッティングノイズを軽減できないという問題がある。即ち、ラックエンド突き当てによる打音が発生するためには、タイヤ、路面摩擦及び車両重量により決定される路面との摩擦力に打ち勝つようなアシストトルクが発生しなければならないと共に、その路面摩擦力とアシストトルクの差が大きければ大きいほど（路面摩擦力≦アシストトルク）、ラックエンドの打音も大きくなる。このため、ある条件（路面摩擦や車両重量）でパラメータを設定しても、環境の変化によって路面摩擦力とアシストトルクに差が生じた場合、ラックエンド突き当ての打音も変化する。例えば、氷のように摩擦が非常に小さい路面の場合は、路面≦アシストトルクとなり、ラックエンド突き当ての打音も大きくなってしまう。
【００１１】
本発明は上述のような事情によりなされたものであり、本発明の目的は、いかなる路面状況や車両においても、ラックエンド突き当てによるヒッティングノイズを確実に軽減することにより、より信頼性の高い電動パワーステアリング装置を提供することにある。
【課題を解決するための手段】
【００１２】
本発明は、操舵トルクと車速に基づいて、ステアリング機構に操舵補助力を付与するモータの電流指令値を演算し、フィードバック制御で前記モータを駆動制御するようになっている電動パワーステアリング装置の制御装置に関し、本発明の上記目的は、ラックエンド近傍時に、前記モータの出力を制限するか若しくは前記操舵トルクと逆に出力することにより達成される。
【００１３】
また、本発明の上記目的は前記モータの出力制限若しくは逆出力を操舵角により行うことにより、或いは前記モータの出力制限若しくは逆出力を操舵速度により行うことにより、或いは前記モータの出力制限若しくは逆出力を更に前記車速により行うことにより、或いは前記モータの出力制限若しくは逆出力を更にＳＡＴ推定値により行うことにより、或いは前記モータの出力制限若しくは逆出力を操舵角、操舵速度、前記車速及びＳＡＴ推定値により行うことにより、より効果的に達成される。
【発明の効果】
【００１４】
本発明の電動パワーステアリング装置の制御装置によれば、路面状況や車両重量を考慮して設定ゲインを演算し、操舵補助モータの出力を制限しているので、いかなる路面状況や車両によっても確実に、ラックエンド時のヒッティングノイズを軽減することができる。また、状況によって操舵補助用モータを操舵トルクと逆に出力させ、積極的に逆アシストを行うことによりヒッティングノイズを低減している。これにより、ラックエンド時のヒッティングノイズを軽減することができ、高性能な電動パワーステアリング装置を提供することができる。
【発明を実施するための最良の形態】
【００１５】
本発明ではラックエンド近傍時に、モータの出力を制限してアシスト制限するか若しくはモータを逆出力させて逆アシストするようにしているので、ヒッティングノイズの打音を軽減することができる。また、モータ出力の制限若しくは逆出力を操舵角、操舵速度、車速、ＳＡＴ（セルフアライニングトルク）推定値に基づいて行っているので、どのような路面状況や車両によっても確実にヒッティングノイズを軽減することができる。更に、ＳＡＴ推定値に基づいて、入力された操舵トルクと逆方向に操舵補助トルクを出力する逆アシストを行っているので、積極的にヒッティングノイズを軽減することができる。
【００１６】
以下に、本発明の実施の形態を図１を参照して説明する。
【００１７】
図１は本発明に係る制御装置の構成例を図６に対応させて示しており、車速Ｖ、操舵速度（角速度）ω、舵角θ及びＳＡＴ推定値＊ＳＡＴに基づいて設定ゲインＧＳを演算するゲイン設定部４０と、操舵トルクＴに設定ゲインＧＳを乗算して操舵補助指令値演算部３１に入力する乗算部５０とを設けている。車速Ｖは車速センサ１２若しくはＣＡＮ（Ｃｏｎｔｒｏｌｌｅｒ  Ａｒｅａ  Ｎｅｔｗｏｒｋ）より得られ、操舵角θは舵角センサ若しくは舵角推定より得られ、操舵速度ωはモータ２０に取り付けられた回転角センサ若しくは操舵角θを微分して得られ、或いはモータ２０の逆起電力より得られ、ＳＡＴ推定値＊ＳＡＴは、例えば特開２００２−３６９５６５号公報で示されるようにモータ回転角速度、モータ回転角加速度、操舵補助力及び操舵トルクにより推定される。図１の例では、操舵速度ωは回転角検出部２２及び角速度演算部２３で求めている。
【００１８】
また、ゲイン設定部４０は図２に示す構成となっており、車速Ｖに応じたゲインＧ１を出力する車速感応ゲインテーブル４１と、操舵速度ωに応じたゲインＧ２を出力する操舵速度感応ゲインテーブル４２と、操舵角θに応じたゲインＧ３を出力する操舵角感応ゲインテーブル４３と、ＳＡＴ推定値＊ＳＡＴに応じたゲインＧ４を出力するＳＡＴ感応ゲインテーブル４４と、ゲインＧ１〜Ｇ４に基づいて設定ゲインＧＳを演算するゲイン演算部４５とで構成されている。
【００１９】
車速感応ゲインテーブル４１は、車速Ｖがゼロでは、タイヤ路面間の摩擦が高いためゲインＧ１を“１”に近い値とし、低速では摩擦力が低くなるのでゲインＧ１を低く設定し、それより車速Ｖが大きくなると路面からの反力が大きくなるので、ゲインＧ１を“１”に設定する。操舵速度感応ゲインテーブル４２は、操舵速度ωが遅い場合はヒッティングノイズが発生しないためゲインＧ２を“１”に設定し、操舵速度ωが早いほどヒッティングノイズが発生し易いので、所定速度ωｒ以上でゲインＧ２を減少させる。また、ヒッティングノイズはラックエンドで機構が衝突する音であるため、操舵角感応ゲインテーブル４３では、ラックエンド手前（操舵角θｒ）からゲインＧ３を減少させる。更にＳＡＴ感応ゲインテーブル４４はＳＡＴ推定値＊ＳＡＴが所定値Ｓｒよりも大きい場合、つまり路面とタイヤの摩擦力が大きい場合はゲインＧ４を“１”に設定し、ＳＡＴ推定値＊ＳＡＴが小さい場合、つまり路面とタイヤの摩擦力が小さいときは負のゲインを設定し、積極的にモータを逆方向へ駆動することでブレーキをかける。例えば氷上のように路面摩擦が低い条件では、ゲインを下げただけでは操舵時のエネルギーを吸収できず、ヒッティングノイズが発生するからである。
【００２０】
ゲイン演算部４５は、操舵角θが設定したラックエンド近傍角θｒ以上であり、かつＳＡＴ推定値＊ＳＡＴが設定値Ｓｒ以下の場合、ゲインＧ１〜Ｇ４を乗算して下記（１）に従って設定ゲインＧＳを求める。
ＧＳ＝Ｇ１×Ｇ２×Ｇ３×Ｇ４      ・・・（１）
このような構成おいて、その動作例を図３のフローチャートを参照して説明する。
【００２１】
先ず、操舵角感応ゲインテーブル４３からゲインＧ３を読取って入力し（ステップＳ１）、ゲインＧ３が“１”であるか否かを判定し（ステップＳ２）、ゲインＧ３が“１”であれば設定ゲインＧＳを“１”に設定する（ステップＳ１０）。
【００２２】
上記ステップＳ２においてゲインＧ３が“１”でない場合には、ＳＡＴ感応ゲインテーブル４４からゲインＧ４を読取って入力し（ステップＳ３）、ゲインＧ４が“１”であるか否かを判定し（ステップＳ４）、ゲインＧ４が“１”であれば設定ゲインＧＳを“１”に設定する（ステップＳ１０）。
【００２３】
上記ステップＳ４においてゲインＧ４が“１”でない場合には、車速感応ゲインテーブル４１からゲインＧ１を読取って入力し（ステップＳ５）、更に操舵速度感応ゲインテーブル４２からゲインＧ２を読取って入力する（ステップＳ６）。このようにしてゲインＧ１〜Ｇ４が入力されると、ゲイン演算部４５は上記（１）式によって設定ゲインＧＳを求める（ステップＳ７）。
【００２４】
設定ゲインＧＳは乗算部５０に入力され、操舵トルクＴと乗算される。
Ｔａ＝Ｔ×ＧＳ      ・・・（２）
上記（２）式で求められた操舵トルクＴａが操舵補助指令値演算部３１に入力され、前述と同様なアシストが実行される。
【００２５】
本発明によれば、操舵トルクＴａがゲイン設定部４０で、操舵角θ、操舵速度ω、車速Ｖ及びＳＡＴ推定値＊ＳＡＴに基づいて演算された設定ゲインＧＳで補正されているため、ラックエンド近傍において制御系ゲインを減少させて打音を低減することができる。即ち、操舵角θがラックエンド近傍で、操舵速度ωが所定速度ωｒより速い場合に、操舵トルクＴの入力値Ｔａを小さくする（モータのアシスト力が小さくなり、路面摩擦力≧アシスト力の関係となる）と共に、タイヤからの反力を推定するＳＡＴ推定値＊ＳＡＴを使用し、氷のように摩擦の低い路面の場合は、ハンドル１、モータ２０、タイヤ等の慣性力により、制御系ゲインを減少させただけでは、ラックエンドのヒッティングノイズ低減効果が低いため、ＳＡＴ推定値＊ＳＡＴが小さい場合は、操舵トルクＴと逆の方向にアシストするようにしてブレーキをかけ、ラックエンドのヒッティングノイズ低減効果を高める。また、タイヤ、車両重量、路面摩擦により摩擦力が高い場合はＳＡＴ推定値＊ＳＡＴが大きくなることから、操舵トルクＴａを通常状態、つまり操舵トルクＴに戻す作用をする。
【００２６】
上述の実施例では、操舵トルクＴに設定ゲインＧＳを乗算することによりモータ出力を制限しているが、操舵補助指令値Ｉｒｅｆａ、Ｉｒｅｆｂ、Ｉｒｅｆｃ、Ｉｒｅｆのいずれかに設定ゲインＧＳを乗算しても同様の効果を得ることができる。
【００２７】
また、図４に示すように、モータ電流検出部２１で検出されてフィードバックされるモータ電流値Ｉｍにゲイン１／ＧＳを乗算して、つまりモータ電流値Ｉｍを増加させても同様の効果を得ることができる。即ち、図４に示すようにゲイン設定部４０で求められた設定ゲインＧＳを変換部５１においてゲイン１／ＧＳに変換し、ゲイン１／ＧＳを乗算部５２でモータ電流Ｉｍと乗算し、その乗算結果Ｉｍａを減算部３９Ｂにフィードバックする。設定ゲインＧＳは“１”以下であるのでＩｍａ≧Ｉｍとなる。
【図面の簡単な説明】
【００２８】
【図１】本発明に係る制御装置の構成例を示すブロック図である。
【図２】ゲイン設定部の構成例を示すブロック図である。
【図３】本発明の動作例を示すフローチャートである。
【図４】本発明に係る制御装置の他の構成例を示すブロック図である。
【図５】電動パワーステアリング装置の一般的な構成例を示す図である。
【図６】コントロールユニットの構成例を示すブロック図である。
【図７】操舵補助指令値演算部の演算特性を示す。
【符号の説明】
【００２９】
１          ハンドル
２          コラム軸
３          減速ギア
１０        トルクセンサ
１２        車速センサ
１４        バッテリ
２０        モータ
２１        モータ電流検出部
２２        回転角検出部
２３        角速度演算部
３０        コントロールユニット
３１        操舵補助指令値演算部
３２        位相補償部
３３        微分補償部
３４        収れん性制御部
３５        慣性補償部
３６        ＰＩ制御部
３７        ＰＷＭ制御部
３８        インバータ
４０        ゲイン設定部
４１        車速感応ゲインテーブル
４２        操舵速度感応ゲインテーブル
４３        操舵角感応ゲインテーブル
４４        ＳＡＴ感応ゲインテーブル
４５        ゲイン演算部
５１        変換部
５０、５２  乗算部
【図１】
2008290525.tif 000003
【図２】
2008290525.tif 000004
【図３】
2008290525.tif 000005
【図４】
2008290525.tif 000006
【図５】
2008290525.tif 000007
【図６】
2008290525.tif 000008
【図７】
2008290525.tif 000009